(57)【要約】【課題】多量の化粧料を、決まった量だけ保持させることができる化粧料塗布具を提供すること。【解決手段】化粧料４を口唇に塗布するための化粧料塗布用具２と、化粧料４を収容するための容器３とを備え、塗布用具２が容器３の口部３３から容器３内に出入自在な口唇化粧料塗布装置１である。塗布用具２は、化粧料４を塗布するための塗布面２１Ａを有し、かつ扁平体からなる塗布部２１と、先端に塗布部２１を連結した支持軸２２とを有している。塗布部２１を正面視したとき、塗布部２１は、最広幅部２１Ｅを有し、かつ最広幅部２１Ｅから先端に向けて漸次狭幅となっているとともに、塗布面２１Ａは、その中央部に窪み部２１Ｃが形成された凹面となっている。【選択図】図２
2011131043.tif 000002
【特許請求の範囲】
【請求項１】
化粧料を口唇に塗布するための化粧料塗布用具と、該化粧料を収容するための容器とを備え、該塗布用具が該容器の口部から該容器内に出入自在な口唇化粧料塗布装置であって、
該塗布用具は、化粧料を塗布するための塗布面を有し、かつ扁平体からなる塗布部と、先端に該塗布部を連結した支持軸とを有しており、
該塗布部を正面視したとき、該塗布部は、最広幅部を有し、かつ該最広幅部から先端に向けて漸次狭幅となっているとともに、該塗布面は、その中央部に窪み部が形成された凹面となっている口唇化粧料塗布装置。
【請求項２】
前記塗布部を正面視したとき、該塗布部の先端域の厚みが、前記最広幅部の厚みよりも大きくなっている請求項１に記載の口唇化粧料塗布装置。
【請求項３】
前記先端域が、前記塗布面と反対側の面側において突出した突出部を有することで、厚みが大きくなっている請求項２に記載の口唇化粧料塗布装置。
【請求項４】
前記先端域は、前記塗布部の先端から後端へ向けて厚みが漸増して最大厚み部を有し、該最大厚み部から後端へ向けて厚みが漸減している請求項２又は３に記載の口唇化粧料塗布装置。
【請求項５】
前記塗布部の幅方向縦断面視における前記先端域の形状が、角が丸みを帯びた三角形である請求項２又は３に記載の口唇化粧料塗布装置。
【請求項６】
前記塗布用具が前記容器内に挿入された状態において、前記塗布部の塗布面が該容器の底部方向を向くように、該塗布部が該支持軸の軸方向に対して傾斜している請求項１ないし５のいずれか一項に記載の口唇化粧料塗布装置。
【請求項７】
前記容器の口部又はその近傍に、しごき孔を有する可撓性しごき弁が設けられており、前記しごき孔の周縁部から下方に延設して、可撓性環状裾部が前記可撓性しごき弁と一体として設けられている請求項１ないし６のいずれか一項に記載の口唇化粧料塗布装置。
【請求項８】
前記しごき孔の内径を、前記塗布部との接合面における前記支持軸の外径で除した値が０．７〜１．０であり、前記可撓性環状裾部の裾長さを、前記塗布部の長さで除した値が０．０５〜０．５である請求項７に記載の口唇化粧料塗布装置。
【請求項９】
前記容器は、その口部又はその近傍にしごき弁を備えており、該しごき弁の略中央部には、前記塗布部及び前記支持軸の通過が自在なしごき孔が形成されており、
前記塗布部の最広幅部は、前記しごき孔の最広幅部よりも大きくなされており、
前記塗布部は、該塗布部が前記しごき孔を通過するときに、前記塗布面を内側に変形可能になっている請求項１ないし６のいずれか一項に記載の口唇化粧料塗布装置。
【請求項１０】
前記塗布部は、前記最広幅部から前記支持軸との連結部に向けて漸次幅が狭くなっており、該連結部においては、該塗布部の幅と該支持軸の幅とが略一致している請求項９に記載の口唇化粧料塗布装置。
【請求項１１】
前記最広幅部が、前記塗布部の先端から離れた位置にある請求項９又は１０に記載の口唇化粧料塗布装置。
【請求項１２】
前記塗布部は、前記塗布面と反対側の面に、該塗布部の長手方向に延びる直線状又は曲線状の溝を１本又は複数本有する請求項９ないし１１のいずれか一項に記載の口唇化粧料塗布装置。
【請求項１３】
前記塗布部２１は、その表面に植毛処理が施されている請求項１ないし１２のいずれか一項に記載の口唇化粧料塗布装置。
【発明の詳細な説明】
【技術分野】
【０００１】
本発明は、口紅及びリップグロス等の口唇化粧料を塗布するために特に好適に用いられる口唇化粧料塗布装置に関する。
【背景技術】
【０００２】
口紅やリップグロス等の口唇化粧料を塗布するための塗布具として、支持軸の先端に塗布部を備えた構造のものが一般に利用されている。塗布部においては、化粧料の保持量を多くすることで、１回の操作によって化粧料を塗布できる面積を大きくし、塗布の操作を減らすことができる。塗布の操作を減らすことは、塗布のかすれを防止して、化粧料を均一に塗布できる点から有利である。
【０００３】
化粧料の保持量を多くするための工夫として、例えば塗布部が、支持軸から横方向に突出し、かつプラスチック材料の少なくとも２つの分岐部を有するものが知られている（特許文献１及び２参照）。分岐部は、端部を有し、かつ該端部で接触してその間に空洞を形成している。この塗布部においては、空洞内に化粧料が保持されるので、保持量を多くすることができる。
【０００４】
上述の技術とは別に、塗布部の形状として、例えば特許文献３には、支持軸よりも幅広で扁平な塗布部が記載されている。また同文献には、塗布部は、正面視したとき最広幅部から先端に向けて漸次狭幅となった形状を有していることや、支持軸に対して斜めに傾斜して設けられていることが記載されている。これらによって、塗布感触や仕上げ性、使い勝手の向上などが図られている。例えば塗布部の先端が細く尖っていると、化粧料を細かく塗布できるという利点があるので、唇の口角の部分に化粧料を塗り易くなる。
【０００５】
一方、塗布用具は、一般に、化粧料を収容した円筒形状の容器と組み合わせて用いられる。塗布用具は、容器内の化粧料に浸漬された塗布部を引き抜くとともに、容器の口部の近傍部分に設けられたしごき弁で過剰量の化粧料をしごき落としてから、塗布部によって化粧料を塗布するようになっている。特許文献３の塗布用具においては、しごき弁を硬質若しくは半硬質のプラスチック材料を用いて形成して、実質上非変形性のものとするとともに、塗布部をしごき弁よりも変形し易くして、支持軸よりも幅広で扁平な塗布部をしごくようになっている。
【先行技術文献】
【特許文献】
【０００６】
【特許文献１】特開２００６−３２６３２０号公報
【特許文献２】特開２００６−３４６４６９号公報
【特許文献３】特開２００１−８７２７号公報（図１２〜図１４）
【発明の概要】
【発明が解決しようとする課題】
【０００７】
しかし、特許文献１及び２の記載によれば、前記の空洞を画成する分岐部は、実質的に変形しないように十分に剛性のものである。したがってこの空洞は、その実質的な変形がないので、化粧料を塗布するときに、空洞内に保持された化粧料が放出されにくいことがある。また、空洞部は塗布部背面まで貫通しているので、塗布対象部位に塗布部を押し当てたときの圧力で、化粧料が塗布面から空洞部を通過し塗布部背面へと逃げてしまい、塗布部に保持している化粧料を有効に使用することができない。
【０００８】
更に、しごき孔の穴径は、支持軸への化粧料の付着を防ぐために、通常支持軸径に合わせて設計するところ、そうすると塗布部が支持軸から横方向に突出している場合には、塗布部を容器から抜き挿しする際に抵抗力が大きくなってしまい、使い勝手が低下してしまう。例えば塗布部に植毛加工（フロッキー加工）を施している場合などは、フロッキー剥がれなどが発生して塗布部の耐久性が下がることがある。
【０００９】
また、特許文献３に記載のように、塗布部の先端が細いと、化粧料の入っている容器から塗布部を引き抜いて、容器に備えられたしごき弁で余剰の化粧料をしごき落とすときに、しごきを十分に行えないことがある。この理由は、塗布部の先端の断面が、しごき弁の孔の大きさに比べて小さいので、塗布部が十分にしごかれないためである。その結果、塗布部の先端に、余剰の化粧料の液溜まりが生じてしまうことがある。そのような液溜まりが生じた状態で塗布具を使用すると、化粧料が付き過ぎることに起因して、例えば塗布の際に化粧料が唇の輪郭からはみ出してしまう原因となる場合がある。あるいは、塗布具を容器から引き抜いたときに、化粧料が糸状に伸びて見栄えが悪くなったり、糸状になった化粧料が切れて落下し、周囲を汚したりする場合もある。
【００１０】
本発明の課題は、上述した従来技術が有する種々の不都合を解消し得る口唇化粧料塗布装置を提供することである。
【課題を解決するための手段】
【００１１】
本発明は、化粧料を口唇に塗布するための化粧料塗布用具と、該化粧料を収容するための容器とを備え、該塗布用具が該容器の口部から該容器内に出入自在な口唇化粧料塗布装置であって、
該塗布用具は、化粧料を塗布するための塗布面を有し、かつ扁平体からなる塗布部と、先端に該塗布部を連結した支持軸とを有しており、
該塗布部を正面視したとき、該塗布部は、最広幅部を有し、かつ該最広幅部から先端に向けて漸次狭幅となっているとともに、該塗布面は、その中央部に窪み部が形成された凹面となっている口唇化粧料塗布装置を提供するものである。
【発明の効果】
【００１２】
本発明によれば、塗布部をしごき弁でしごくだけの簡単な操作で、多量の化粧料を、決まった量だけ保持させることができる。しかも塗布部の塗布面の全域にわたって化粧料を保持させることができるので、化粧料を均一に塗布することができる。また、塗布部背面への化粧料の付着が抑制されるため、化粧料塗布の際に、望ましくない部位への付着を防止することができる。
【００１３】
また、本発明によれば、口角等の細かな部位における化粧料の塗り易さを損なうことなく、化粧料の液だれや糸引きを効果的に防止することができる。
【００１４】
更に本発明によれば、塗布部を抜き差しするときの抵抗を低減して塗布部への損傷を軽減しつつ、幅広で扁平な塗布部を効果的にしごいてゆくことができる。その結果、塗布部への化粧料の付着量及び分布が適正となり、簡便に美しく仕上げることができる。
【００１５】
本発明の化粧料塗布装置によれば、上述の各効果が奏され、特に口紅、リップグロス等の口唇化粧料を唇に塗布する際に簡単に美しく仕上げることができる。
【図面の簡単な説明】
【００１６】
【図１】図１は、本発明の化粧料塗布具の一実施形態を示す一部破断正面図である。
【図２】図２は、図１に示す化粧料塗布具における塗布部を拡大して示す斜視図である。
【図３】図３（ａ）は図１に示す化粧料塗布具における塗布部の正面図であり、図３（ｂ）は図１に示す化粧料塗布具における塗布部の側面図であり、図３（ｃ）は図３（ｂ）におけるｃ−ｃ線断面図であり、図３（ｄ）は図３（ｂ）におけるｄ−ｄ線断面図であり、図３（ｅ）は図３（ｂ）におけるｅ−ｅ線断面図である。
【図４】図４（ａ）ないし（ｃ）は、化粧料を保持した塗布部が、しごき弁のしごき孔を通過する前、通過中、及び通過した後の状態を示す模式図である。
【図５】図５（ａ）及び（ｂ）は、化粧料を保持した塗布部が、しごき弁のしごき孔を通過中の状態を側面からみた模式図である。
【図６】図６は、図１に示す化粧料塗布具の使用状態の一例を示す説明図である。
【図７】図７（ａ）は、塗布部の別の実施形態を示す斜視図であり、図７（ｂ）は、図７（ａ）の正面図である。
【図８】図８（ａ）は、塗布部の別の実施形態を示す斜視図であり、図８（ｂ）は、図８（ａ）の側面図である。
【図９】図９（ａ）は、塗布部の別の実施形態を示す斜視図であり、図９（ｂ）は、図９（ａ）におけるｂ−ｂ線断面図であり、図９（ｃ）は、図９（ｂ）に示す塗布部が変形した状態を示す断面図である。
【図１０】図１０（ａ）ないし（ｅ）は、塗布部の別の実施形態を示す図である。
【図１１】図１１は、本発明の口唇化粧料塗布装置の別の実施形態を示す一部破断正面図である。
【図１２】図１２（ａ）及び（ｂ）は、図１１に示す口唇化粧料塗布装置における塗布部を、その塗布面側及びそれと反対面側からみて拡大して示す斜視図である。
【図１３】図１３（ａ）は図１１に示す口唇化粧料塗布装置における塗布部の正面図であり、図１３（ｂ）は図１１に示す口唇化粧料塗布装置における塗布部の側面図であり、図１３（ｃ）は図１３（ｂ）におけるｃ−ｃ線断面図であり、図１３（ｄ）は図１３（ｂ）におけるｄ−ｄ線断面図であり、図１３（ｅ）は図１３（ｂ）におけるｅ−ｅ線断面図である。
【図１４】図１４（ａ）は、化粧料を保持した塗布部が、しごき弁のしごき孔を通過中の状態を側面からみた模式図であり、図１４（ｂ）は、図１４（ａ）に示す状態から更に塗布部が引き抜かれた状態を正面からみた模式図であり、図１４（ｃ）は、図１４（ｂ）に示す状態を側面からみた模式図である。
【図１５】図１５は、図１１に示す口唇化粧料塗布装置の使用状態の一例を示す説明図である。
【図１６】図１６（ａ）は、塗布部の別の実施形態を示す正面図であり、図１６（ｂ）は、図１６（ａ）におけるｂ−ｂ線断面図であり、図１６（ｃ）は、図１６（ｂ）に示す塗布部が略Ｃ字状に変形した状態を示す断面図である。
【図１７】図１７（ａ）ないし（ｅ）は、塗布部の別の実施形態を示す図である。
【図１８】図１８（ａ）は、本発明の口唇化粧料塗布装置の別の実施形態を示す一部破断正面図であり、図１８（ｂ）は、図１８（ａ）に示す口唇化粧料塗布装置の一部破断側面図である。
【図１９】図１９（ａ）は塗布用具の塗布部を可撓性しごき弁によってしごく状況を説明する略示正面図であり、図１９（ｂ）は同略示側面図であり、図１９（ｃ）は同塗布部を省略して示す可撓性しごき弁の略示底面図である。
【図２０】図２０（ａ）は、他の形態の塗布部を可撓性しごき弁によってしごく状況を説明する略示正面図であり、図２０（ｂ）は同略示側面図であり、図２０（ｃ）は同塗布部を省略して示す可撓性しごき弁の略示底面図である。
【図２１】図２１（ａ）は、更に他の形態の塗布部を可撓性しごき弁によってしごく状況を説明する略示正面図であり、図２１（ｂ）は同略示側面図であり、図２１（ｃ）は同塗布部を省略して示す可撓性しごき弁の略示底面図である。
【図２２】図２２（ａ）は従来の技術において、可撓性しごき弁の下面に堆積した化粧料が塗布部に付着する状況の説明図であり、図２２（ｂ）は本発明の一実施形態において、可撓性しごき弁の下面に堆積した化粧料が塗布部に付着するのを回避する状況の説明図である。
【図２３】図２３（ａ）ないし（ｃ）は、可撓性環状裾部の他の形態を例示する略示断面図である。
【図２４】図２４（ａ）ないし（ｅ）は、可撓性環状裾部の他の形態を例示する略示断面図である。
【図２５】図２５（ａ）ないし（ｄ）は、可撓性環状裾部及び可撓性しごき弁の他の形態を例示する略示断面図である。
【図２６】図２６は、可撓性環状裾部の他の形態を例示する略示断面図である。
【発明を実施するための形態】
【００１７】
以下、本発明の口唇化粧料塗布装置を、その好ましい実施形態に基づき図面を参照しながら説明する。図示する実施形態の口唇化粧料塗布装置は、本発明の好ましい形態の一例を示すものであって、本発明はこの図面に限定されるものではない。図１には、本発明の口唇化粧料塗布装置の第１の実施形態の正面図が、一部破断した状態で示されている。同図に示す本実施形態の口唇化粧料塗布装置１は、化粧料４を塗布するための塗布用具２と、化粧料４を収容するための容器３とを備えている。以下、塗布用具２及び容器３についてそれぞれ説明する。
【００１８】
まず、容器３について説明すると、容器３は有底の細長い円筒状のものである。容器３はその内部に液状化粧料４を収容できるようになっている。容器３は、その底部と対向して口部３３を有する。口部３３は上方に向けて開口している。口部３３の外周面にはネジ部３２が設けられている。このネジ部３２は、後述する塗布用具２の蓋体２３の内周面に設けられたネジ部（図示せず）と螺合可能になっている。
【００１９】
容器３における口部３３はその近傍にしごき弁３１を有している。しごき弁３１は、容器３の口部３３から底部に向けて縮径した漏斗状の形状をしており、その下端の位置にしごき孔３１Ａを有している。しごき孔３１Ａは、しごき孔として用いられるものである。しごき孔３１Ａは、後述する塗布用具２における塗布部２１及び支持軸２２の通過が自在になっている。しごき孔３１Ａは、容器３の横断面視において、しごき弁３１の略中央部に形成されている。またしごき孔３１Ａは円孔となっている。しかし、しごき孔３１Ａの形状はこれに限られない。しごき孔３１Ａは、塗布用具２の先端に位置する塗布部２１を容器３内に挿入し、また容器３内から抜き出すことが可能な大きさを有している。しごき弁３１は、塗布用具２の塗布部２１や支持軸２２に付着した過剰量の化粧料４を適度にしごき取るために用いられる。この目的のために、しごき弁３１はゴム等の弾性変形可能な材料から構成されている。なお図１においては、しごき弁３１は、口部３３から若干離れた下方寄りに位置しているが、これに代えて、口部３３の位置にしごき弁３１を配置してもよい。容器本体３の口部３３の近傍部分には、口部３３から若干離れた箇所から口部３３までの部分が含まれる。
【００２０】
容器３に収容される化粧料４としては、使用環境下において流動性を有する口唇化粧料が用いられる。そのような化粧料は、当該技術分野においてよく知られたものである。その例としては、各種口紅、リップグロスやリップカラー等と称される仕上げ用の艶出し化粧料等が挙げられる。
【００２１】
容器３と組み合わせて用いられる塗布用具２は、塗布部２１と支持軸２２とを有している。これらの部材は、容器３の口部３３から該容器３内に出入自在となっている。塗布部２１は化粧料４を口唇等に塗布するために用いられる。支持軸２２は、その先端において塗布部２１と連結している。塗布部２１と支持軸２２とは同一材料から一体的に構成されていてもよく、あるいは予め製造された２つの部材を所定の手段によって結合させて構成されていてもよい。
【００２２】
塗布部２１と支持軸２２を別々に製造して結合させる場合、両者を嵌合させて結合することが好ましい。結合の方法としては、ポンチ打ちなどで塗布部２１又は支持軸２２を塑性変形させて固定する方法が挙げられる。また、接着剤による接着など公知の技術を適宜採用してもよい。
【００２３】
塗布用具２は、更に蓋体２３を有している。蓋体２３は、支持軸２２の後端と連結している。蓋体２３は、上述のとおり、その内周面にネジ部（図示せず）を有している。このネジ部は、上述した容器３のネジ部３２と螺合可能になっている。蓋体２３が容器３のネジ部３２と螺合した状態においては、塗布装置１は略円柱状の形状となる。この状態においては、塗布部２１は容器３の底部よりも若干上方に位置している。
【００２４】
図２には塗布部２１の拡大図が示されている。なお、図１と図２では、塗布部２１の上下関係が逆転している。同図に示すように、塗布部２１は支持軸２２よりも幅広な扁平体からなる。塗布部２１は、支持軸の延びる方向に長手方向Ｘを有し、長手方向Ｘと直交する方向に幅方向Ｙを有する縦長の形状である。
【００２５】
塗布部２１は、これが容器３のしごき弁３１を通過するときに、第１の面２１Ａを内側に変形できるようにするための特徴を、少なくとも一つ有する。塗布部２１の変形は、しごき弁３１の孔に沿って略Ｃ字状であることが後述のように好ましい。
【００２６】
縦長の扁平形状からなる塗布部２１は、塗布面である第１の面２１Ａとこれに対向する第２の面２１Ｂとを有する。第１の面２１Ａは、塗布部２１の幅方向Ｙに関して凹面になっている。一方、第２の面２１Ｂは平面ないし若干凸面になっている。
【００２７】
塗布部２１は、凹面である第１の面２１Ａの中央部に窪み部２１Ｃを有している。窪み部２１Ｃは、第１の面２１Ａにおいて、化粧料４を主として保持する部位である。窪み部２１Ｃは、塗布部２１の長手方向に延びている。窪み部２１Ｃにおける塗布部２１の厚みは、窪み部２１Ｃの周縁での厚みよりも小さくなっている。
【００２８】
塗布部２１は、支持軸２２に対して所定の角度をもって傾斜している。詳細には、塗布部２１は、塗布用具２が容器３内に挿入された状態において、塗布部２１の凹面である第１の面２１Ａが容器３の底部方向を向くように、支持軸２２の軸方向に対して傾斜している。塗布部２１と支持軸２２とがこのような傾斜関係で結合していることによって、塗布部２１の変形を所望のものとすることができる。また、塗布用具２を用いた化粧料４の塗布を容易に行うことができる（これらのことについては、後ほど詳述する）。
【００２９】
塗布部２１は、その表面に植毛処理が施されている。植毛処理に用いられる繊維は、長さが０．１〜３ｍｍで、太さが０．５〜５デシテックスのものが好ましい。長さ及び太さがこの範囲のなかで、異なる２種以上の繊維を組み合わせて用いることも可能である。繊維の材質は、塗布時に求められる感触に応じ、適切なものが選択される。一般にはポリアミド樹脂を用いることで、好ましいソフトな感触を得ることができる。塗布部の表面に植毛処理を施すためには、静電植毛法等の公知の技術を適宜採用すればよい。
【００３０】
図３（ａ）ないし（ｅ）には、図２に示す塗布部２１の正面図、側面図及び横断面図が示されている。これらの図及び先に説明した図２から明らかなように、塗布部２１は、植毛処理される前の状態での露出面の全域が先端を除き曲面のみで形成されている。換言すれば、植毛処理される前の状態での塗布部２１は、先端を除き、角部を全く有していない滑らかなものである。
【００３１】
更に塗布部２１は、植毛処理される前の状態での露出面の全域が平滑になっている。換言すれば、植毛処理される前の状態での塗布部２１は、皺状、シボ状、梨地状等を始めとする各種の微細な凹凸を、その露出面の全域において全く有していない。要するに、植毛処理される前の状態での塗布部２１は「滑らか」で「つるつる」したものである。塗布部２１がこのような特異な形状を有していることによって、本実施形態の塗布部具１を用いて化粧料を口唇等に塗る場合、先に塗られている化粧料を拭い取ったり削り取ったりすることなく、その上に別の化粧料を首尾良く塗り重ねることができる。また、使用後においては、塗布部２１に残存した化粧料を容易に除去することができるので、容器３内に塗布部２１を挿入した場合に、容器３内に収容されている化粧料の着色や変色を効果的に防止することができる。
【００３２】
植毛処理される前の状態での塗布部２１露出面の全域が先端を除き曲面のみで形成され、かつ平滑になっていることと、植毛処理を施すこととの相乗効果によって、化粧料の塗布時に塗布部２１に保持可能な化粧料の量を多くすることができる。その結果、化粧料の塗布回数を減らすことが可能となる。また植毛処理された塗布部の別の利点として、化粧料の塗布時にソフトな感覚を付与することができるという利点も挙げられる。
【００３３】
図２及び図３に示すように、塗布部２１は、これを正面からみたときに（つまり、幅方向Ｙで断面視したときに）、最広幅部２１Ｅを有している。最広幅部は、一点であることが好ましいが、２点以上であっても良いし、或る程度の長さにわたって存在しても良い。塗布部２１は、最広幅部２１Ｅから支持軸２２との連結部２４に向けて漸次幅が狭くなっている。ここで言う幅とは、図３（ａ）中、Ｙ方向の長さのことである。連結部２４においては、塗布部２１の幅と支持軸２２の幅（すなわち直径）とが略一致している。また最広幅部２１Ｅは、塗布部２１の先端２１Ｄから離れた位置にある。最広幅部２１Ｅから先端２１Ｄに向けて、塗布部２１は漸次幅が狭くなっている。先端２１Ｄは略尖鋭になっていることが好ましい。先端２１Ｄを尖鋭にすることで、塗布の細かな操作を容易に行うことができる。例えば口角における塗布を容易に行うことができる。このように塗布部２１は、先端２１Ｄから最広幅部２１Ｅにかけては幅が漸次広くなっており、最広幅部２１Ｅから連結部２４にかけては幅が漸次狭くなっている。
【００３４】
本実施形態の塗布装置１は、塗布部２１の最広幅部２１Ｅの幅と、しごき弁３１のしごき孔３１Ａの大きさとの関係に特徴の一つを有する。詳細には、最広幅部２１Ｅは、しごき孔３１Ａの最広幅部よりも大きくなされている。したがって、図１に示す状態にある塗布用具２を容器３から取り出す場合には、塗布部２１の最広幅部２１Ｅが、しごき弁３１のしごき孔３１Ａに引っ掛かることになる。本実施形態においては、塗布部２１を弾性変形可能な材料から構成することで、最広幅部２１Ｅがしごき孔３１Ａに引っ掛かったときに塗布部２１が変形するようにして、塗布部２１がしごき孔３１Ａを通過できるようにしている。この場合、塗布部２１の第１の面２１Ａを内側にして、塗布部２１が略Ｃ字状に変形可能な構成としている。塗布部２１をこのように変形させることの利点を、図４を参照しながら説明する。
【００３５】
塗布部２１が化粧料４内に浸っている状態（図１に示す状態）から引き上げられると、図４（ａ）に示すように、塗布部２１の表面全体に化粧料４が保持される。
【００３６】
この状態から塗布部２１が更に引き抜かれ、塗布部２１がしごき弁３１に当接すると、しごき弁３１によって塗布部２１の引き抜きが阻害される。しかし、塗布部２１は弾性変形可能な材料からなるので、塗布部２１はしごき弁３１のしごき孔３１Ａを通過できるように変形する。塗布部２１は、化粧料４を主として保持している面である第１の面２１Ａが凹面になっているので、塗布部２１の変形に際しては、図４（ｂ）に示すように、常に第１の面２１Ａが内側になるように略Ｃ字状に変形する。しかも、第１の面２１Ａにおける窪み部２１Ｃにおいては、塗布部２１の厚みが薄くなっているので、第１の面２１Ａが内側になるような変形が一層起こりやすい。変形中においては、塗布部２１は、第１の面２１Ａが内側になるように略Ｃ字状になっているので、略Ｃ字状の内側に保持されている化粧料４はその保持状態が維持される。略Ｃ字状に変形した塗布部２１の外面、すなわち第２の面２１Ｂは、凸面になり、該面に存在する化粧料４がしごき弁３１によってしごき取られる（後述する図５参照）。したがって、多量の化粧料を、決まった量だけ保持させることができる。
【００３７】
しごき弁３１は弾性変形可能な材料でもよく、その場合には塗布部２１としごき孔３１Ａとの両方が変形することで、抜き挿し抵抗力が低減し、使い勝手が一層向上する。この場合、塗布部２１はしごき孔３１Ａ通過時にやや開いたＣ字状（塗布部２１断面の外接円径が大きくなる状態）になり、図４（ｂ）に示すしごき孔３１Ａの形状は、塗布部２１により押し広げられ、横に長い略楕円形に変形する。塗布部２１への化粧料４の付着量は例えば、塗布部２１としごき弁３１の硬度比、しごき孔３１Ａの大きさ、肉厚によって制御される。例えば、塗布部２１のゴム硬度を一定に保ち、しごき弁３１のゴム硬度を変化させる場合、しごき弁のゴム硬度が小さい（すなわち柔らかい）ほど、しごき孔３１Ａの変形量が増大し、塗布部２１に付着する化粧料４の量が増大する傾向がある。塗布部２１及びしごき弁３１の好ましい硬度は各部剤の厚みや形状にも依存するが、両者ともにＡスケール硬度で５５〜７０°の範囲であり、硬度差が少ないことがより好ましい。
【００３８】
しかも、塗布部２１は、支持軸２２との連結部２４から最広幅部２１Ｅにかけて、その幅が漸次広くなっているので、塗布部２１を引き抜いていくと、該塗布部２１に変形の力が徐々に加わり、スムーズに略Ｃ字状に変形する。また、最広幅部２１Ｅが、先端２１Ｄと連結部２４との間に位置していると、略Ｃ字状に変形した塗布部２１内における化粧料４の保持状態を一層良好にすることができる。
【００３９】
更に、最広幅部２１Ｅから先端２１Ｄに向けて、塗布部２１は漸次幅が狭くなっているので、塗布部２１をしごき孔３１Ａに挿入させる際にも、該塗布部２１に変形の力が徐々に加わり、塗布部２１の第１の面２１Ａを内側にして、スムーズに略Ｃ字状に変形する。これにより、塗布部２１が、挿入時に第１の面２１Ａを内側にした略Ｃ字状以外の形状、例えば、塗布面である第１の面２１Ａが外向きの略Ｃ字状やＷ型、あるいは塗布部２１が略中心軸に沿って「くの字」に折れ曲るなどの予期しない形状に変形することが効果的に防止される。このことは、塗布部２１に予期しない形状のクセがつくことを防ぐ効果がある。クセづきによる変形は、予期しない形状への変形や、それによって無理な力が塗布部２１に加わることで生じ、通常数１０分ほどをかけてゆっくりと元の形状に復元するが、予期しない形状にクセがついた場合、塗布部２１を挿入した後、時間を待たずにすぐ抜き出して使用する際、第１の面２１Ａを内側にして変形しない可能性があり、化粧料４の保持状態が不良となってしまう。最広幅部２１Ｅから先端２１Ｄに向けて、塗布部２１の幅を漸次狭くすることで、塗布部２１をしごき孔３１Ａに挿入させるときも、抜くときと同じように第１の面２１Ａを内側にして略Ｃ字状に変形するので、常に安定して化粧料４の保持状態を良好に保つことができる。この観点から、最広幅部２１Ｅは、塗布部２１の長さ（図２におけるＸ方向の長さ）を基準として、先端２１Ｄから５〜９５％、特に１５〜８５％の位置にあることが好ましい。
【００４０】
塗布部２１がしごき孔３１Ａを通過した後は、しごき孔３１Ａによる変形力が塗布部２１に加わらなくなるので、変形していた塗布部２１は、図４（ｃ）に示すように、変形前の状態に復帰する。この変形回復に伴って、化粧料４は、塗布部２１における第１の面２１Ａの全域に広がる。その結果、化粧料４を口唇等に塗布するときに、均一な塗布を行うことができる。このとき第２の面２１Ｂには、ほとんど化粧料が保持されていないので、塗布対象部位以外の部位に不用意に化粧料を付着させてしまう心配がなく、使用者は安心して手早く塗布することができる。従来の単純な扁平塗布具では、面２１Ｂへの化粧料の付着を防ぐことはできず、使用者は塗布時に所望していない場所に化粧料が付かないように、塗布していない側の面２１Ｂを気にしながら使用していた。これに対し本実施形態によれば、塗布部２１がしごき弁３１に当接する際、略Ｃ字状に変形することで、この外側面の面２１Ｂに付着している化粧料を極めてきれいにしごくことが可能になる。その結果、第２の面２１Ｂにおける化粧料の付着は僅かとなり、使用者はこのわずらわしさから開放される。
【００４１】
第２の面２１Ｂに化粧料を付着させないようにするため、例えば塗布部２１の断面において、第２の面２１Ｂ側がしごき孔３１Ａの輪郭に沿うように、第２の面２１Ｂ全体を円弧状に設計することが一案として考えられる。しかしその場合には、塗布部２１が全体的に、特に塗布部の中心部分が厚くなり塗布部２１の曲げ強度が増加してしまうため、塗布時のソフトな感触が損なわれてしまう。本実施形態の塗布装置１を口唇化粧料用の塗布に用いる場合、唇は特に敏感な部位なので、感触が硬いことは使用者に非常に大きな不快感を与えてしまうことになる。そもそも、断面をしごき孔３１Ａに合わせて円弧状にするということは、塗布部２１の幅寸法にも制限を与えることになる。このことに起因して塗布部２１の幅を広くすることができず、１回で塗布できる面積が減り、使い勝手も低下してしまう。
【００４２】
塗布部２１のゴム硬度としごき弁３１のゴム硬度の組み合わせを変えることで、塗布部２１での化粧料４の保持量を変えることが可能である。そうすることで、略Ｃ字状の変形度合いが変化して保持量が変わっても、塗布部２１がしごき孔３１Ａを通過した後、変形前の状態に復帰したときに、化粧料４が第１の面２１Ａの全域に広がることに変わりはないので、口唇等に塗布するときに、均一な塗布を行うことができる。
【００４３】
塗布部２１の弾性変形及び元の状態への復帰を首尾良く行う観点から、塗布部２１としては、例えば天然ゴム、ブタジエンゴム、イソプレンゴム、ニトリルゴム、クロロプレンゴム、シリコーン樹脂やポリウレタンなどの各種エラストマーを用いることができる。特に熱可塑性エラストマーを使用すると、射出成形によって製造することができるので好ましい。塗布部２１を弾性変形可能な材料から構成することは、化粧料４を塗布する場合に、唇等への感触が良好であるという観点からも好ましい。
【００４４】
本実施形態の塗布装置１を用いると、幅広い粘度の化粧料４に対応できるという利点がある。この理由は、略Ｃ字状に変形した塗布部２１によって化粧料４が包み込まれるようにしてしごき孔３１Ａを通過するからである。これに対して、従来の技術では、粘度の低い化粧料を用いた場合には、該化粧料が必要以上にしごき弁によってしごき取られてしまい、多量の化粧料を塗布部に保持させることができない。
【００４５】
図５（ａ）及び（ｂ）には、しごき弁３１によって塗布部２１をしごく様子を側面からみた状態が示されている。図５（ａ）は、塗布部２１が化粧料４内に浸っている状態（図１に示す状態）から引き上げられて、しごき弁３１に当接し始めた状態である。この状態においては、まず塗布部２１における第２の面２１Ｂがしごき孔３１Ａの周縁と当接する。また、この状態においては、しごき孔３１Ａの中心位置と、支持軸２２の中心位置とは一致している。
【００４６】
図５（ａ）に示す状態から塗布部２１を更に引き抜くと、塗布部２１が傾斜していることに起因して、塗布部２１における第２の面２１Ｂがしごき孔３１Ａの周縁によってしごかれていく。それにしたがい、支持軸２２の中心位置は、しごき孔３１Ａの中心位置から偏倚していく。このように、塗布部２１を引き抜いていくと、塗布部２１における第２の面２１Ｂが必ずしごき孔３１Ａの周縁に接して、第２の面２１Ｂに付着している余剰の化粧料４がしごき取られる。しかも第２の面２１Ｂがしごき孔３１Ａの周縁に接するので、しごき孔３１Ａの周縁から受ける変形の力は、第２の面２１Ｂから第１の面２１Ａに向けて作用する。その結果、塗布部２１は必ず第１の面２１Ａを内側にして略Ｃ字状に変形する。要するに、塗布部２１の第１の面２１Ａが容器３の底部方向を向くように、支持軸２２の軸方向に対して傾斜していることで、塗布部２１を引き抜いたときに、第２の面２１Ｂがしごき孔３１Ａの周縁に必ず接するようになる。なお、図５（ｂ）では、第２の面２１Ｂとしごき孔３１Ａの周縁とが１点でのみ当接しているように表されているが、実際は、塗布部２１が略Ｃ字状に変形しているので、第２の面２１Ｂは、しごき孔３１Ａの形に沿った凸面（断面が円弧状である凸面）になり、第２の面２１Ｂとしごき孔３１Ａの周縁とは線状に当接する。
【００４７】
塗布部２１を確実に略Ｃ字状に変形させる観点から、塗布部２１と支持軸２２とがなす角度θ（図５（ａ）参照）は１０〜５０度、特に２０〜４０度であることが好ましい。また、この範囲の角度とすることで、後述する図６に示すように、塗布用具２を把持する使用者の手の位置が使用者の顔と接触する可能性が低くなり、かつ塗布用具２の容器３からの抜き挿しがし易くなり、しかも容器直径も小さく携帯性にも優れたものとすることができる。
【００４８】
以上のとおり、本実施形態の塗布用具１によれば、化粧料４を保持した塗布部２１をしごき弁３１でしごくだけの簡単な操作で、多量の化粧料４を、決まった量だけ塗布部２１に保持させることができる。この効果を一層確実にする観点から、塗布部２１の最広幅部２１Ｅの幅／しごき孔３１Ａの最広幅部の幅の値を、塗布部２１としごき弁３１とを組んでいない状態、すなわち変形前の状態で、１．１〜５．０、特に１．４〜３．０に設定することが好ましい。この値が小さすぎると、塗布部２１としごき孔３１Ａとの位置関係が変化しやすく、それに起因して塗布部２１の変形の状態が定まりにくくなり、一定量の化粧料４を保持させにくくなる。また、この値が大きすぎると、塗布部２１がしごき孔３１Ａを通過する際に、塗布部２１を略Ｃ字状に変形させるために大きな力が必要になって使い勝手が低下し、更に値が一層大きい場合には、塗布部２１が略Ｃ字状に変形した際、最広幅部２１Ｅの両端のどうしが接触して塗布部２１の変形を阻害することがある。あるいは、最広幅部２１Ｅの両端どうしが重なり合って変形状態が安定しないことがある。その結果、一定量の化粧料４を第１の面２１Ａに均一に保持させにくくなる。
【００４９】
塗布部２１の最広幅部２１Ｅの幅／しごき孔３１Ａの最広幅部の幅の値は、上述の範囲が好ましいところ、しごき孔３１Ａの最広幅部の幅は、該しごき孔３１Ａが円孔である場合、その直径が１．０〜１０ｍｍ、特に２．０〜７．０ｍｍであることが好ましい。本実施形態においては、塗布部２１の略Ｃ字状への変形の程度を大きくすることで、しごき孔３１Ａを小さくしても、塗布部２１に化粧料４を多量に保持させることができる。しごき孔３１Ａを小さくできることは、容器３の直径を小さくできることにつながる。容器３の直径を小さくできることは、容器３のスリム化や小型という利点をもたらす。
【００５０】
しごき弁３１は、塗布部２１に付着している余剰の化粧料４のみならず、支持軸２２に付着している化粧料４のしごき落としにも用いられる。支持軸２２に付着している化粧料４のしごき落としを確実に行う観点から、円孔であるしごき孔３１Ａの直径ｄ１と、円柱である支持軸２２の直径ｄ２との比ｄ１／ｄ２は、０．７〜１．０、特に０．８０〜０．９８であることが好ましい。
【００５１】
なおしごき孔３１Ａは、本実施形態においては円孔であったが、これに代えて円形以外の形状、例えば楕円形や長孔等の異方性のある形状のしごき孔３１Ａを採用することもできる。
【００５２】
図６には、本実施形態の塗布装置１の使用状態の一例が示されている。塗布用具２を容器３から抜き出すと、先に述べた機序によって、塗布部２１に付着した化粧料４のうち、過剰量がしごき弁３１によってしごき落とされ、適量の化粧料４が塗布部２１の第１の面２１Ａに保持された状態となる。この状態の塗布部２１は、化粧料４が保持されていることが使用者に対して一目瞭然となるので、初めて使う者でも、塗りたいポイントに必要な量だけ化粧料４を塗ることが簡単かつ確実にできる。この場合、塗布部２１の色を、化粧料４の色に対してコントラストの高い色とすれば、化粧料４が保持されていることが一層明瞭となる。更に、第２の面２１Ｂや支持軸２２における化粧料４の付着は極めて少量なので、使用者は、塗布対象部位以外への不用意な化粧料４の付着（例えば、下唇を塗布しているときに上唇に化粧料４が付着してしまうことやその逆など）を心配することなく、安心して手早く化粧料４を塗布することができる。化粧料４を口唇に塗布する際には、図６に示すように、塗布部２１における化粧料４の保持面である第１の面２１Ａを上唇５Ａ又は下唇５Ｂに対向させる。この場合、先に述べたとおり、塗布部２１は支持軸２２の軸線に対して傾斜しているので、上唇５Ａ及び下唇５Ｂのどちらに化粧料４を塗布する場合であっても、塗布用具２を把持する使用者の手の位置が、使用者の顔から離れるので、自然な状態で塗布の動作を行うことができる。
【００５３】
また、窪み部２１Ｃが凹面である第１の面２１Ａに形成されていることによって、該窪み部２１Ｃに保持されている化粧料４をすべて口唇に塗布することができる。この凹面は口唇にぴったりとフィットするからである。
【００５４】
次に、本発明の口唇化粧料塗布装置における塗布部２１の別の実施形態を、図７ないし図１７を参照しながら説明する。これら別の実施形態に関し、特に説明しない点については、先に述べた実施形態に関する説明が適宜適用される。また図７ないし図１７において、図１〜図６と同じ部材には同じ符号を付してある。
【００５５】
図７（ａ）及び（ｂ）に示す実施形態では、塗布部２１は、その最広幅部２１Ｅから先端２１Ｄに向けて漸次幅が狭くなっている。そして、塗布部２１の先端２１Ｄは、塗布部２１を正面視して、円弧状になっている。先端２１Ｄをこのように構成することの利点は次のとおりである。すなわち、塗布部２１の最広幅部２１Ｅから先端２１Ｄ側において、該塗布部２１の幅がしごき弁３１のしごき孔３１Ａの直径より小さい範囲では、該しごき弁３１によって化粧料４を効果的にしごき落とすことはできない。しかし、先端２１Ｄを略円弧状にすることで、塗布部２１において、該塗布部２１の幅がしごき弁３１のしごき孔３１Ａの直径以下になる位置から、先端２１Ｄまでの長さを短くできる。その結果、しごき孔３１Ａでしごかれずに先端２１Ｄ付近に付着する化粧料４の量を低減でき、先端２１Ｄ付近に必要以上に化粧料４が付着するのを防ぐことができる。また、先端２１Ｄを略円弧状にすることで、肌等に対する傷つきなども効果的に防ぐことができる。
【００５６】
図８（ａ）及び（ｂ）に示す実施形態では、塗布部２１の第１の面２１Ａが、幅方向Ｙに関して凹面になっていることに加えて、長手方向Ｘに関しても凹面になっている。第１の面２１Ａが、長手方向Ｘに関して凹面になっていることで、容器３（図１参照）から塗布部２１を引き抜くときに、第１の面２１Ａが内側になるように塗布部２１が変形するのに伴い、第１の面２１Ａの長手方向Ｘに沿う中心線付近では、第１の面２１Ａの曲率が、しごき孔３１Ａを通過する前の曲率に比べて小さくなる（つまり直線に近くなる）。しごき孔３１Ａを通過した後は、第１の面２１Ａは元の曲率に復元するので、その際、化粧料４は第１の面２１Ａの長手方向Ｘの中央付近に集められることになる。この状態で化粧料４を塗布すれば、塗布した部位の中央付近に一層多くの化粧料を塗布することが可能になる。このことは、例えば口唇の中央部に一層艶を与えたい場合などに適している。また、長手方向Ｘ及び幅方向Ｙの両方に関して第１の面２１Ａが凹面になっていることで、該面２１Ａの曲率を、例えば口唇の曲率など、塗布対象の曲率に近い値に設定することが容易になり、塗布対象へのフィット感や塗り易さも向上させることができる。
【００５７】
図９（ａ）及び（ｂ）に示す実施形態の塗布部２１は、塗布面である第１の面２１Ａと反対側の面である第２の面２１Ｂに、塗布部２１の長手方向に延びる直線状又は曲線状の溝４０を、複数本（同図では２本）有している。２本の溝４０は、塗布部２１の縦中心線に対して対称の位置に、かつ対称形で設けられている。２本の溝４０は、塗布部２１が略Ｃ字状に変形するときの変形誘導線として作用する。すなわち図９（ｂ）に示す状態の塗布部２１がしごき孔３１Ａを通過するときには、塗布部２１が溝４０の位置を起点として図９（ｃ）に示すように変形する。変形誘導線を有することで、塗り易さに影響する第１の面２１Ａの形状や幅寸法などは変えずに、略Ｃ字形への変形度合い、すなわち化粧料４の保持量を変えることができる。また、変形誘導線を有することで、少ない力で略Ｃ字形へ変形させられるようになるので、抜き挿しの抵抗力が減少し使い勝手が向上する。また更に、変形誘導線を有することで、第１の面２１Ａにおける凹部を取り囲む凸の部分が変形し易くなるので、塗布面２１を塗布対象面に押し当てたときに、図９（ｃ）の矢印の方向とは逆の方向に変形し易くなる。その結果、塗布の際の感触がソフトになるとともに、凹部の深さが相対的に浅くなるので、凹部に保持している化粧料４を塗布対称部位へ放出し易くなる。この場合、溝４０は塗布部２１の長手方向に延びているので、溝４０があることでＹ方向の断面形状は変形し易いが、Ｘ方向の断面形状の変形には影響しないか、又は塗布対象面に押し当ててＹ方向の断面形状が変形しているときには、むしろＸ方向は一層変形しにくくなる。このことは、支持軸２２に対する塗布部２１の先端の相対的な位置が変形誘導線の有無で変化しないか、又は変形誘導線が無い場合に比べて変位しにくくなるということを意味しているので、塗布部２１の先端が容易にぶれず、細かい部分を狙って塗布するときに好都合である。変形誘導線としての作用を顕著なものとする観点から、溝４０の長さは、塗布部２１の長さの３０〜１００％、特に７５〜９５％であることが好ましい。また、溝は１本の連続した線状でも良いし、部分的に溝の無い箇所を含んだ点線状に配置された溝（あるいは凹んだ点群）でも構わない。
【００５８】
溝４０の形状としては、図９（ａ）に示すものの他に、図１０（ａ）ないし（ｅ）に示すものを用いることもできる。図１０（ａ）に示す実施形態では、塗布部２１の縦中心線に対して対称の位置に、かつ対称形で２本の溝４０ａが形成されている。各溝４０ａは、塗布部２１の縦中心線に向けて凸状に湾曲した曲線になっている。図１０（ｂ）に示す実施形態では、塗布部２１の縦中心線に対して対称の位置に、かつ対称形で２本の溝４０ｂが形成されている。各溝４０ｂは、塗布部２１の各側縁に向けて凸状に湾曲した曲線になっている。図１０（ｃ）に示す実施形態では、塗布部２１の縦中心線の位置に、直線状の溝４０ｃが１本形成されている。図１０（ｄ）に示す実施形態では、塗布部２１の縦中心線の位置に、湾曲した溝４０ｄが１本形成されている。図１０（ｅ）に示す実施形態では、塗布部２１の縦中心線の位置に、波線状の曲線溝４０ｄが１本形成されている。溝の形状、形成位置及び形成本数に応じ、塗布部２１の変形の状態や程度が異なるので、化粧料４の保持量や第１の面２１Ａに付着させる化粧料の分布状態をコントロールすることができる。したがって、どのような形状の溝を、どの位置にどれだけの本数を形成するかは、塗布部２１にどの程度の量の化粧料４を保持するかに応じて適切に決定すればよい。あるいは、第１の面２１Ａに付着させる化粧料の分布状態をあえて不均一にして（例えば化粧料４を第１の面２１Ａの周囲よりも中央部に多くなるように分布させて）、唇に塗布したときに唇の中央部に艶を出して唇の立体感を強調するなど、塗布対象部位へ加えたい演出によって、溝の形状や形成位置を適切に決定すればよい。
【００５９】
図１１には、本発明の口唇化粧料塗布装置１の別の実施形態が示されている。また図１２（ａ）及び（ｂ）には、図１１に示す塗布装置１における塗布部２１の拡大図が示されている。なお、図１１と図１２（ａ）及び（ｂ）では、塗布部２１の上下関係が逆転している。図１２（ａ）及び（ｂ）に示すように、塗布部２１は扁平体からなる。塗布部２１は、支持軸の延びる方向に長手方向Ｘを有し、長手方向Ｘと直交する方向に幅方向Ｙを有する縦長の形状である。
【００６０】
縦長の扁平形状からなる塗布部２１は、塗布面である第１の面２１Ａとこれに対向する第２の面２１Ｂとを有する。第１の面２１Ａは凹面になっている。一方、第２の面２１Ｂは平面ないし若干凸面になっている。
【００６１】
図１３（ａ）ないし（ｅ）には、図１２（ａ）及び（ｂ）に示す塗布部２１の正面図、側面図及び横断面図が示されている。図１３（ａ）ないし（ｅ）及び先に説明した図１２（ａ）及び（ｂ）から明らかなように、塗布部２１は、植毛処理される前の状態での露出面の全域が先端を除き曲面のみで形成されている。換言すれば、植毛処理される前の状態での塗布部２１は、先端以外には角部を全く有していない滑らかなものである。
【００６２】
本実施形態の塗布装置１は、塗布用具２における塗布部２１の先端域２１０が、最広幅部２１Ｅよりも厚みが大きくなっている点に特徴の一つを有する。詳細には、先端域２１０が、塗布面である第１の面２１Ａと反対側の面２１Ｂ側において突出した突出部２１１を有することで、厚みが大きくなっている。なお、ここでいう厚みとは、塗布部２１の長手方向を含む面であって、かつ塗布部２１の塗布面である第１の面２１Ａに対して直交する面内における塗布部２１の長さのことである。
【００６３】
塗布部２１が上述のとおりの形状になっていることで、口角等における化粧料の塗り易さを損なうことなく、化粧料の液だれや糸曳きを効果的に防止することができるという有利な効果が奏される。この有利な効果を、図１４を参照しながら説明する。
【００６４】
図１４（ａ）には、しごき弁３１によって塗布部２１をしごく様子を側面からみた状態が示されている。図１４（ａ）は、塗布部２１が化粧料４内に浸っている状態（図１１に示す状態）から引き上げられて、しごき弁３１に当接し始めた状態である。この状態においては、まず塗布部２１における第２の面２１Ｂがしごき孔３１Ａの周縁と当接する。また、この状態においては、しごき孔３１Ａの中心位置と、支持軸２２の中心位置とはほぼ一致している。
【００６５】
図１４（ａ）に示す状態から塗布部２１を更に引き抜くと、塗布部２１が傾斜していることに起因して、塗布部２１における第２の面２１Ｂがしごき孔３１Ａの周縁によってしごかれていく。それにしたがい、支持軸２２の中心位置は、しごき孔３１Ａの中心位置から偏倚していく。このように、塗布部２１を引き抜いていくと、塗布部２１における第２の面２１Ｂが必ずしごき孔３１Ａの周縁に接して、第２の面２１Ｂに付着している余剰の化粧料４がしごき取られる。この場合、塗布部２１の先端域２１０は先細りになっているので、塗布部２１の引き抜きが進行するとともに、図１４（ｂ）に示すように、先端域２１０がしごき弁３１のしごき孔３１Ａの周縁と当接しづらくなっていく。つまり、余剰の化粧料がしごき落とされにくくなっていく。しかし、図１４（ｃ）に示すように、先端域２１０には厚みのある突出部２１１が形成されているので、先端域２１０が先細りになっていても、先端域２１０の第２の面２１Ｂ側において、先端域２１０としごき孔３１Ａの周縁との当接が確保され、しごき弁３１が撓んだ状態が持続するとともに、突出部２１１が存在しない塗布部の場合と比べて、先端域２１０が塗布面２１Ａ側（図１４（ｃ）では左側）へより大きく移動させられる。この先端域２１０の塗布面２１Ａ側への偏倚は、支持軸２２を含む塗布部１２全体の平行移動や角度の変化を伴う場合もあるし、塗布部１２が弾性変形して撓んで角度θが小さくなる方向に変形する場合もあり、これらは使用者の引き抜き方によって変化するが、いずれの場合でも先端域２１０は必ず塗布面２１Ａ側へ移動することになる。
【００６６】
この先端域２１０の塗布面２１Ａ側への移動によって、塗布面２１Ａとしごき孔３１Ａの周縁との隙間が小さくなるので、先端領域２１０の周囲に付着する化粧料４の量を減らすことができる。特に、塗布部２１の第１の面２１Ａが容器３の底部方向を向くように支持軸２２の軸方向に対して傾斜している場合は、通常、塗布面２１Ａとしごき孔３１Ａの周縁との隙間が大きくなる傾向が強く、傾斜していない塗布部に比べて先端領域２１０における塗布面２１Ａの化粧料４のしごき取り効果が弱かったが、本発明ではしごき取り効果を高められるので、余剰の化粧料４を減少させることが可能になる。
【００６７】
突出部２１１がない場合、塗布部の側面部分で穴径よりも小さな幅となる箇所は、きれいにしごき落とすことができないことがある。これに対して、突出部２１１があることで、先端領域２１０が塗布面２１Ａ側へ移動するのに伴い、塗布部２１の側面部としごき孔３１Ａの周縁における接点箇所も移動し、しごき孔３１Ａの最大径（直径部）以外の場所でも接触しやすくなるので、しごき孔３１Ａの穴径よりも小さな幅となる箇所も化粧料４をしごき落とすことが可能になる。つまり、漸次狭幅になっている塗布部において、突出部２１１が存在しない場合よりも、突出部２１１が存在する場合の方が、一層先端２１Ｄに近い部分においても側面に付着している余剰の化粧料４をしごき取ることができる。
【００６８】
このように、先端域２１０において、突出部２１１部の周囲、塗布面２１Ａ、及び塗布部側面と全ての領域で、塗布部２１の引き抜き完了の直前まで、余剰の化粧料４がしごき取られる。
【００６９】
特に、本実施形態においては、先端域２１０が、第１の面２１Ａと反対側の面２１Ｂ側において突出した突出部２１１を有することで、厚みが大きくなっているので、先端２１Ｄによる細かな塗布を妨げることなく、液だれや糸曳きを効果的に防止できる。また、塗布部２１の幅方向Ｙの縦断面視における先端域２１０の形状が、図１３（ｃ）及び（ｄ）に示すように、角が丸みを帯びた三角形になっているので、先端域２１０は、塗布面以外に２つの平面を有することになる。これら２つの平面は、口角などの細かな部分の塗布や、一度化粧料を塗布した部位の修正に用いる場合に有利である。
【００７０】
突出部２１１を有する先端域２１０は、塗布部２１の先端２１Ｄから後端へ向けて厚みが漸増して最大厚み部２１１Ａを有し、該最大厚み部２１１Ａから後端へ向けて厚みが漸減し、最広幅部２１Ｅにおける厚みに近づいていく。突出部２１１がこのような立体形状を有していることで、塗布部２１を容器３のしごき弁３１に対して出し入れし易くなる。また、容器３のしごき弁３１に対して塗布部２１の出し入れを多数回行っても、塗布部２１の表面に施された植毛がダメージを受けづらくなる。
【００７１】
塗布部２１の先端域２１０に突出部２１１が形成されていることに加え、塗布用具２は、塗布部２１の最広幅部２１Ｅの幅と、しごき弁３１のしごき孔３１Ａの大きさとの関係にも特徴の一つを有する。詳細には、最広幅部２１Ｅは、しごき孔３１Ａの最広幅部よりも大きくなされている。したがって、図１１に示す状態にある塗布用具２を容器３から取り出す場合には、塗布部２１の最広幅部２１Ｅが、しごき弁３１のしごき孔３１Ａに引っ掛かることになる。本実施形態においては、塗布部２１を弾性変形可能な材料から構成することで、最広幅部２１Ｅがしごき孔３１Ａに引っ掛かったときに塗布部２１が変形するようにして、塗布部２１がしごき孔３１Ａを通過できるようにしている。この場合、塗布部２１の第１の面２１Ａを内側にして、塗布部２１が略Ｃ字状に変形可能な構成としている。塗布部２１をこのように変形させることの利点は、先に図４を参照しながら説明したとおりである。特に本実施形態においては、塗布部２１を引き抜くときに、第２の面２１Ｂがしごき孔３１Ａの周縁に接するので、しごき孔３１Ａの周縁から受ける変形の力は、第２の面２１Ｂから第１の面２１Ａに向けて作用する。その結果、塗布部２１の変形に際しては、先に説明した図４（ｂ）に示すように、塗布部２１は常に第１の面２１Ａが内側になるように略Ｃ字状に変形する。
【００７２】
最広幅部２１Ｅから先端２１Ｄに向けて、塗布部２１の幅を漸次狭くすることで、塗布部２１をしごき孔３１Ａに挿入させるときも、抜くときと同じように、塗布部２１は、塗布面２１Ａを内側にして略Ｃ字状に変形する。その結果、常に安定して化粧料４の保持状態を良好に保つことができる。この効果は突出部２１１についても同様であり、突出部２１１を有する先端域２１０が、塗布部２１の先端２１Ｄから後端へ向けて厚みが漸増して最大厚み部２１１Ａを有していることで、塗布部２１の予期しない変形を効果的に防ぐことができ、常に安定して化粧料４の保持状態を良好に保つことができる。
【００７３】
塗布部２１の第２の面２１Ｂをしごき孔３１Ａの周縁に接するようにして、しごき孔３１Ａの周縁から受ける変形の力を第２の面２１Ｂから第１の面２１Ａに向けて作用させるようにするためには、塗布部２１の第１の面２１Ａが容器３の底部方向を向くように、支持軸２２の軸方向に対して傾斜していることが有利である。塗布部２１を確実に略Ｃ字状に変形させる観点から、塗布部２１と支持軸２２とがなす角度θ（先に説明した図５（ａ）参照）は１０〜５０度、特に２０〜４０度であることが好ましい。
【００７４】
以上のとおり、本実施形態の塗布用具１によれば、化粧料４を保持した塗布部２１をしごき弁３１でしごくだけの簡単な操作で、多量の化粧料４を、液だれや糸曳き等の不都合を防止しつつ、決まった量だけ塗布部２１に保持させることができる。この効果を一層確実にする観点から、塗布部２１の最広幅部２１Ｅの幅／しごき孔３１Ａの最広幅部の幅の値を、塗布部２１としごき弁３１とが組んでいない状態、すなわち変形前の状態で、１．１〜５．０、特に１．４〜３．０に設定することが好ましい。
【００７５】
また、これに関連して、塗布部２１の先端域２１０における突出部２１１の最厚み部２１１Ａの厚み／しごき孔３１Ａの最広幅部の幅の値は、０．３〜２．０、特に０．５〜１．５に設定することが好ましい。
【００７６】
塗布部２１の最広幅部２１Ｅの幅／しごき孔３１Ａの最広幅部の幅の値や、突出部２１１の最厚み部２１１Ａの厚み／しごき孔３１Ａの最広幅部の幅の値は、上述の範囲が好ましいところ、しごき孔３１Ａの最広幅部の幅は、該しごき孔３１Ａが円孔である場合、その直径が１．０〜１０ｍｍ、特に２．０〜７．０ｍｍであることが好ましい。本実施形態においては、塗布部２１の略Ｃ字状への変形の程度を大きくすることで、しごき孔３１Ａを小さくしても、塗布部２１に化粧料４を多量に保持させることができる。しごき孔３１Ａを小さくできることは、容器３の直径を小さくできることにつながる。容器３の直径を小さくできることは、容器３のスリム化や小型という利点をもたらす。
【００７７】
図１５には、本実施形態の塗布装置１の使用状態の一例が示されている。この使用状態は、先に図６を参照して説明した使用状態と同じである。特に本実施形態によれば、塗布部２１に付着した化粧料４のうち、過剰量がしごき弁３１によってしごき落とされ、適量の化粧料４が塗布部２１の第１の面２１Ａに保持された状態となるという有利な効果が奏されることに加えて、化粧料４の液だれや糸曳きが防止されるという有利な効果も奏される。
【００７８】
図１６（ａ）及び（ｂ）には、塗布部２１の別の実施形態が示されている。同図に示す実施形態の塗布部２１は、塗布面である第１の面２１Ａと反対側の面である第２の面２１Ｂに、塗布部２１の長手方向に延びる直線状曲線状の溝４０を、複数本（同図では２本）有している。このような溝４０を有する塗布部２１に関しては、先に図９（ａ）ないし（ｃ）を参照しながら説明したとおりである。
【００７９】
溝４０の形状としては、図１６（ａ）に示すものの他に、図１７（ａ）ないし（ｅ）に示すものを用いることもできる。これらの図に示す溝４０の形状は、先に図１０（ａ）ないし（ｅ）に示す実施形態と同様である。
【００８０】
次に、本発明の口唇化粧料塗布装置における容器３の別の実施形態を、図１８ないし図２６を参照しながら説明する。これら別の実施形態に関し、特に説明しない点については、先に述べた実施形態に関する説明が適宜適用される。また図１８ないし図２６において、図１〜図１７と同じ部材には同じ符号を付してある。図１８ないし図２６に示す実施形態の容器３は、図１〜１７に示す実施形態の塗布部２１のいずれにも適用できるものである。
【００８１】
図１８に示す本実施形態の口唇化粧料塗布装置１は、化粧料４を容器３に収容し、支持軸２２の先端に当該支持軸２２よりも幅広で扁平な塗布部２１を備えた塗布用具２の塗布部２１を、容器３内の化粧料４に浸した状態から引き抜いて、引き抜いた塗布部２１によって化粧料４を口唇等に塗布するようにした化粧料容器であって、容器３の口部３３の近傍部分にしごき孔３１Ａを有する可撓性しごき弁３１が設けられており、可撓性しごき孔３１Ａの周縁部から下方に延設して、可撓性環状裾部３４が可撓性しごき弁３１と一体として設けられている。
【００８２】
本実施形態では、しごき孔３１Ａの周縁部から下方に延設して、可撓性環状裾部３４が可撓性しごき弁３１と一体として設けられている。可撓性環状裾部３４は、可撓性しごき弁３１と同様のゴム等の弾性変形可能な材料から構成される。可撓性環状裾部３４は、その開口形状を容易に変形可能な可撓性を備えている。これによって、例えばしごき孔３１Ａとの接合部分である上端部の開口形状と、下端部の開口形状とが、異なる形状となるように容易に変形できるようになっている。可撓性環状裾部３４は、円筒状の容器３の中心軸と平行な面に沿って、直線状に下方に延設していることが好ましいが、その機能を損なわない範囲で、容器３の中心軸と平行な面から内側又は外側に若干傾いた状態で下方に延設していても良い。また可撓性環状裾部３４は、後述するように湾曲するか、折れ曲った状態で下方に延設していても良い。更に可撓性環状裾部３４は、後述するように一部に薄肉部や切欠き部等を設けて、所定の方向に変形しやすくすることもできる。
【００８３】
本実施形態では、しごき孔３１Ａの内径を、塗布部２１との接合面における支持軸２２の外径で除した値（（しごき孔３１Ａの内径）／（塗布部２１との接合面における支持軸２２の外径））が０．７〜１．０となっており、可撓性環状裾部３４の裾長さを、塗布部２１の長さで除した値（（可撓性環状裾部３４の裾長さ）／（塗布部２１の長さ））が０．０５〜０．５となっていることが好ましい。（しごき孔３１Ａの内径）／（塗布部２１との接合面における支持軸２２の外径）や（可撓性環状裾部３４の裾長さ）／（塗布部２１の長さ）をこのような範囲とすることにより、塗布部２１を抜き差しする際の抵抗を低減して使用感に優れ、かつ塗布具やしごき部材が受ける損傷を軽減しつつ、支持軸及び塗布具を効果的にしごいてゆくことが可能になる。しごき孔３１Ａの内径や支持軸２２の外径は、これらが円形や円形断面の場合はその直径であり、円形や円形断面以外の場合はその断面二次半径の２倍である。
【００８４】
図１９（ａ）には、可撓性しごき弁３１によって塗布部２１をしごく様子を正面からみた状態が示されており、図１９（ｂ）には、可撓性しごき弁３１によって塗布部２１をしごく様子を側面からみた状態が示されており、図１９（ｃ）には、可撓性しごき弁３１によって塗布部２１をしごく様子を、塗布部２１を省略して底面からみた状態が示されている。なお、図１９（ｃ）では、中央部分の太線による環状線が可撓性環状裾部３４の下端部における開口形状を示しており、中央部分の細線による環状線が可撓性環状裾部３４の上端部における開口形状を示している。
【００８５】
図１９（ａ）、図１９（ｂ）及び図１９（ｃ）において、ａ−１、ｂ−１、ｃ−１は、塗布部２１が化粧料４内に浸っている状態（図１８に示す状態）から引き上げられて、可撓性しごき弁３１に当接し始めた状態である。この状態においては、可撓性環状裾部３４の可撓性しごき弁３１と接合される上端部の開口形状、及び自由端となった下端部の開口形状は、いずれも変形することなく円形を保持している。
【００８６】
図１９（ａ）、図１９（ｂ）、及び図１９（ｃ）において、ａ−２、ｂ−２、ｃ−２は、塗布部２１を更に引き抜いて、塗布部２１の最広幅部２１Ｅが、可撓性環状裾部３４の内側に配置された状態である。この状態においては、塗布部２１の幅は、可撓性しごき弁３１のしごき孔３１Ａの内径よりも大きくなっているので、塗布部２１は、しごき孔３１Ａを幅方向に押し拡げつつ、しごき孔３１Ａ及びこれに接合する可撓性環状裾部３４の上端部の開口形状を、楕円状に変形させる。これに伴って、可撓性環状裾部３４の下端部は、自由端となっていて上端部より可撓変形し易いことから、上端部の開口形状よりも更に扁平な楕円状に変形する。これによって、塗布部２１の最広幅部２１Ｅよりも下方の漸次幅が狭くなった部分は、扁平に狭まった開口形状によって可撓性環状裾部３４に接触し易くなることで、ａ−３、ｂ−３、ｃ−３やａ−４、ｂ−４、ｃ−４に示すように、効果的にしごかれてゆくことになる。
【００８７】
また、本実施形態では、塗布部２１は支持軸２２に対して傾斜して取り付けられているが、塗布部２１を引き抜いて行くのに従って、可撓性環状裾部３４は、倒れ込むようにして傾斜する側に容易に変形することができるので、引き抜き時に過大な抵抗を生じることなく、塗布部２１をしごきながらスムーズに引き抜いてゆくことが可能になる。
【００８８】
また、引き抜いていく際、傾斜していることで背面は常に可撓性環状裾部３４に接触するので、背面はほぼ全量しごき落とすことができる。塗布面２１Ａ側には可撓性環状裾部３４と隙間が生じることで、化粧料を付着させることができるが、塗布部２１の傾斜に合わせて可撓性環状裾部３４も傾斜するので、見かけ上隙間が小さくなり、ワイパー効果が高まる。このことにより、先が細くなっている塗布部２１でも効果的にしごき取ることが可能になり、塗布部２１先端に余計な化粧料の液溜まりが生じることがない。
【００８９】
これらによって、本実施形態の塗布装置１は、可撓性環状裾部３４を変形させることで、単純に孔径を小さくするのに比べて、塗布部２１を抜き差しする際の抵抗を低減してダメージを軽減しつつ、幅広で扁平な塗布部２１を効果的にしごいてゆくことが可能になる。
【００９０】
可撓性環状裾部３４はその長さが長いほど、ワイパー効果は高まる。一般に、しごき孔３１Ａの内径を小さくすると、ワイパー効果を高めることができる。しかし、引き抜きのときの摩擦抵抗が過大になるまでしごき孔３１Ａの内径を小さくしすぎると、使い勝手が悪くなったり、塗布部２１がダメージを受けたりすることがある。更に、摩擦抵抗が過大になることで、可撓性しごき弁３１が過度に大きく変形し、その変形モードが一定でないため、１回ごとの付着量のばらつきが大きくなる可能性があり、この点でも使い勝手を損ねてしまうことがある。
【００９１】
塗布部２１への化粧料４の付着量は例えば、塗布部２１と可撓性環状裾部３４の硬度比、可撓性環状裾部３４の大きさ、肉厚によって制御される。例えば、塗布部２１が図１８に示す形態で、かつ塗布面２１Ａの中央が凹んだものを用い、塗布部２１のゴム硬度を一定に保ち、可撓性環状裾部３４のゴム硬度を変化させる場合、可撓性環状裾部３４のゴム硬度が小さい（すなわち柔らかい）ほど、しごき孔３１Ａの略円径から略楕円形への変形量が増大すると同時に、塗布部２１が塗布面２１Ａを内側にして略Ｃ字状に変形する度合いが減少し、塗布部２１に付着する化粧料４の量が増大する傾向がある。逆に、可撓性環状裾部３４のゴム硬度が大きい（すなわち硬い）時には、しごき孔３１Ａの略円径から略楕円形への変形量が減少すると同時に、塗布部２１が塗布面２１Ａを内側にして略Ｃ字状に変形する度合いが増すので、横断面（Ｘに垂直な断面）において、塗布部２１としごき孔３１Ａとの隙間の面積が減少し、したがって塗布部２１に付着する化粧料４の量が減少する傾向がある。塗布部２１及び可撓性環状裾部３４の好ましい硬度は各部材の厚みや形状にも依存するが、両者ともにＡスケール硬度で５５〜７０°の範囲であり、硬度差が少ないことがより好ましい。
【００９２】
塗布部２１及び可撓性環状裾部３４の材質としては例えば天然ゴム、ブタジエンゴム、イソプレンゴム、ニトリルゴム、クロロプレンゴム、シリコーン樹脂やポリウレタンなどの各種エラストマーを用いることができる。特に熱可塑性エラストマーを使用すると、射出成形によって製造することができるので好ましい。
【００９３】
図２０（ａ）には、可撓性しごき弁３１によって他の形態の塗布部２１’をしごく様子を正面からみた状態が示されており、図２０（ｂ）には、可撓性しごき弁３１によって他の形態の塗布部２１’をしごく様子を側面からみた状態が示されており、図２０（ｃ）には、可撓性しごき弁３１によって他の形態の塗布部２１’をしごく様子を、塗布部２１’を省略して底面からみた状態が示されている。ここで、他の形態の塗布部２１’は、上述の塗布部２１の先端域における塗布面２１Ａとは反対側の面から突出する、厚みが大きくなった突出部２１１を有している。
【００９４】
図２０（ａ）、図２０（ｂ）、及び図２０（ｃ）において、ａ−１、ｂ−１、ｃ−１は、塗布部２１’が化粧料４内に浸っている状態（図１８に示す状態）から引き上げられて、突出部２１１が可撓性環状裾部３４の上端部に至った状態である。またａ−２、ｂ−２、ｃ−２は、塗布部２１’を更に引き抜いて、塗布部２１の突出部２１１が可撓性しごき弁３１のしごき孔３１Ａを通過する状態である。
【００９５】
このように、先端域に厚みが大きくなった突出部２１１を有する塗布部２１’についても、可撓性環状裾部３４を変形させることで塗布部２１’を抜き差しする際の抵抗を低減して、上述と同様の作用効果が奏される。また、塗布部２１’の先端域で突出部２１１によって可撓性環状裾部３４が更に大きく変形するので、可撓性環状裾部３４によるワイパー効果が増大して、化粧料４の糸引きを効果的に回避することが可能になる。
【００９６】
図２１（ａ）には、可撓性しごき弁３１によって更に他の形態の塗布部２１”をしごく様子を正面からみた状態が示されており、図２１（ｂ）には、可撓性しごき弁３１によって更に他の形態の塗布部２１”をしごく様子を側面からみた状態が示されており、図２１（ｃ）には、可撓性しごき弁３１によって更に他の形態の塗布部２１”をしごく様子を塗布部２１”を省略して底面からみた状態が示されている。ここで、更に他の形態の塗布部２１”は、支持軸２２に対して傾斜することなく直線状に設けられていること以外は、上述の塗布部２１と同様の構成を備えている。
【００９７】
図２１（ａ）、図２１（ｂ）及び図２１（ｃ）において、ａ−１、ｂ−１、ｃ−１は、塗布部２１”が化粧料４内に浸っている状態（図１８に示す状態）から引き上げられて、可撓性しごき弁３１に当接し始めた状態である。この状態においては、可撓性環状裾部３４の可撓性しごき弁３１と接合される上端部の開口形状、及び自由端となった下端部の開口形状は、いずれも変形することなく円形を保持している。
【００９８】
図２１（ａ）、図２１（ｂ）及び図２１（ｃ）において、ａ−２、ｂ−２、ｃ−２は、塗布部２１”を更に引き抜いて、塗布部２１”の最広幅部２１Ｅが、可撓性環状裾部３４の内側に配置された状態である。この状態においては、塗布部２１”の幅は、可撓性しごき弁３１のしごき孔３１Ａの内径よりも大きくなっているので、塗布部２１は、しごき孔３１Ａを幅方向に押し拡げつつ、しごき孔３１Ａ及びこれに接合する可撓性環状裾部３４の上端部の開口形状を、楕円状に変形させる。これに伴って、可撓性環状裾部３４の下端部は、自由端となっていて上端部より可撓変形し易いことから、上端部の開口形状よりも更に扁平な楕円状に変形する。これによって、塗布部２１の最広幅部２１Ｅよりも下方の漸次幅が狭くなった部分は、扁平に狭まった開口形状によって可撓性環状裾部３４に接触し易くなることで、ａ−３、ｂ−３、ｃ−３やａ−４、ｂ−４、ｃ−４に示すように、効果的にしごかれてゆくことになる。
【００９９】
これらによって、上述の塗布部２１や塗布部２１’の場合と同様に、可撓性環状裾部３４を変形させることで塗布部２１”を抜き差しする際の抵抗を低減してダメージを軽減しつつ、幅広で扁平な塗布部２１”を効果的にしごいてゆくことが可能になる。
【０１００】
また、図２２（ａ）に示すような最広幅部を有さない塗布部２１”を、同図に示す可撓性環状裾部を有さないしごき弁３１と組み合わせて用いた場合、例えば化粧料４の粘度が高いことに起因して、軸に付着していてしごかれた化粧料４や、前回の使用時にしごかれた化粧料４が可撓性しごき弁３１の下面に付着したまま堆積していると、可撓性環状裾部が設けられていないことから、今回の使用時に塗布部２１”をしごきながら引き抜く際に、下面に堆積した化粧料４を巻き込んで、塗布部２１”の先端域での化粧料４の付着量が多くなり過ぎたり、糸引きが起こったりする原因になり易かった。
【０１０１】
これに対して、本実施形態では、図２２（ｂ）に示すように、可撓性しごき弁３１のしごき孔３１Ａの周縁部から下方に延設する可撓性環状裾部３４が設けられているので、可撓性しごき弁３１の下面に堆積した化粧料４を巻き込み難くなり、塗布部２１”の先端域に化粧料４が過剰に付着するのを効果的に回避することが可能になる。また、塗布部２１”に付着した化粧料４と、可撓性しごき弁３１の下面に堆積した化粧料４とが、可撓性環状裾部３４が介在することによって分断され易くなるので、糸引きが生じるのを効果的に回避することが可能になる。
【０１０２】
前記の実施形態における化粧料塗布装置１では、可撓性しごき弁は、容器の口部から底部に向けて縮径した漏斗状のものであったが、これに代えて、中央部分にしごき孔が貫通形成された円盤形状等、その他の種々の形状のものを採用することができる。
【０１０３】
また、可撓性環状裾部は、円筒状に延設するものである必要は必ずしもなく、可撓性を向上させたり、所定の方向に変形し易くするために、種々の形状のものを用いることができる。例えば、図２３（ａ）及び（ｂ）のように蛇腹状に形成したり、図２３（ｃ）のように基端部に溝３５を設けて変形しやすくすることもできる。可撓性環状裾部３４を蛇腹状に形成することにより、塗布部の通過に伴ってその下端部をより大きく動かしたり、長さ方向に変形させたりすることが可能になる。
【０１０４】
また、図２４（ａ）ないし（ｅ）に示すように、可撓性環状裾部３４の一部に薄肉部を設けたり（図２４（ａ）及び（ｂ））、厚肉部を設けたり（図２４（ｃ）及び（ｄ））して可撓性環状裾部３４の厚みを部分的に変えたり、あるいは切欠き部を設けたり（図２４（ｅ））することによって、可撓性環状裾部３４を所定の方向に変形しやすくすることもできる。これらの実施形態では、可撓性環状裾部３４の内面に力を加えた場合、斜視図の向きで見て、天地方向に力を加えたときと、左右方向に力を加えたときとで、変形し易さが異なる。その結果、塗布部２１を容器から抜き取る場合に、塗布部２１の側面（最広幅部２１Ｅ）が、同じく図２４の向きで見て、天地方向を向くときと、左右方向を向くときとで、塗布部２１への化粧量４の付着量を変えることができる。更には、塗布部２１の側面（最広幅部２１Ｅ）が、天地方向、左右方向以外の向き、例えば斜め４５度でも、塗布部２１への化粧量４の付着量を変えることができる。これらの場合には、塗布用具や容器に、変形しやすい方向を示す目印を設けておくことが好ましい。
【０１０５】
また、可撓性環状裾部３４が接合される可撓性しごき弁３１の一部に薄肉部を設けたり（図２５（ａ）及び（ｃ））、厚肉部を設けたり（図２５（ｂ）及び（ｄ））して、可撓性しごき弁３１の厚みを部分的に変えたりすることによっても、同様に可撓性環状裾部３４の変形に方向性を持たせることが可能である。
【０１０６】
図２４及び図２５では、厚みを変える部分が２箇所、面対称に描いてあるが、厚みを変える部分は１箇所でもよく、あるいは３箇所以上でもよい。更に、１つの可撓性環状裾部３４若しくは１つの可撓性しごき弁３１又はそれらの両方に、厚肉部と、薄肉部又は切欠き部とが混在していても構わない。
【０１０７】
更に、図２６に示すように、しごき孔や可撓性環状裾部３４を楕円形の中空断面を有するように形成して、可撓性環状裾部３４の変形に方向性を持たせることもできる。また、しごき孔３１Ａの周縁に放射状のスリットを形成してもよい。
【０１０８】
以上、本発明をその好ましい実施形態に基づき説明したが、本発明は前記実施形態に制限されない。例えば図２（ａ）及び（ｂ）に示す実施形態の塗布用具２における塗布部２１は、先端域２１０が、塗布面である第１の面２１Ａと反対側の面２１Ｂ側において突出した突出部２１１を有していたが、これに代えて第１の面２１Ａ側において突出した突出部を有していてもよい。あるいは、第１の面２１Ａ及び第２の面２１Ｂの両方の側において突出した突出部を有していてもよい。この場合、第１の面２１Ａ側における突出の程度と、第２の面２１Ｂ側における突出の程度は同じでもよく、あるいは異なっていてもよい。
【符号の説明】
【０１０９】
１  口唇化粧料塗布装置
２  塗布用具
２１，２１’，２１”  塗布部
２１Ａ  第１の面
２１Ｂ  第２の面
２１Ｃ  窪み部
２１Ｄ  先端
２１Ｅ  最広幅部
２２  支持軸
２３  蓋体
２１０  先端域
２１１  突出部
３  容器
３１  しごき弁
３１Ａ  しごき孔
３３  口部
３４  可撓性環状裾部
４  化粧料
【図１】
2011131043.tif 000003
【図２】
2011131043.tif 000004
【図３】
2011131043.tif 000005
【図４】
2011131043.tif 000006
【図５】
2011131043.tif 000007
【図６】
2011131043.tif 000008
【図７】
2011131043.tif 000009
【図８】
2011131043.tif 000010
【図９】
2011131043.tif 000011
【図１０】
2011131043.tif 000012
【図１１】
2011131043.tif 000013
【図１２】
2011131043.tif 000014
【図１３】
2011131043.tif 000015
【図１４】
2011131043.tif 000016
【図１５】
2011131043.tif 000017
【図１６】
2011131043.tif 000018
【図１７】
2011131043.tif 000019
【図１８】
2011131043.tif 000020
【図１９】
2011131043.tif 000021
【図２０】
2011131043.tif 000022
【図２１】
2011131043.tif 000023
【図２２】
2011131043.tif 000024
【図２３】
2011131043.tif 000025
【図２４】
2011131043.tif 000026
【図２５】
2011131043.tif 000027
【図２６】
2011131043.tif 000028
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
化粧料を口唇に塗布するための化粧料塗布用具と、該化粧料を収容するための容器とを備え、該塗布用具が該容器の口部から該容器内に出入自在な口唇化粧料塗布装置であって、
該塗布用具は、化粧料を塗布するための塗布面を有し、かつ扁平体からなる塗布部と、先端に該塗布部を連結した支持軸とを有しており、
該塗布部を正面視したとき、該塗布部は、最広幅部を有し、かつ該最広幅部から先端に向けて漸次狭幅となっているとともに、該塗布面は、その中央部に窪み部が形成された凹面となっており、
前記容器は、その口部又はその近傍にしごき弁を備えており、該しごき弁の略中央部には、前記塗布部及び前記支持軸の通過が自在なしごき孔が形成されており、
前記塗布部の最広幅部は、前記しごき孔の最広幅部よりも大きくなされており、
前記塗布部は、該塗布部が前記しごき孔を通過するときに、前記塗布面を内側に変形可能になっている口唇化粧料塗布装置。
【請求項２】
前記塗布部を正面視したとき、該塗布部の先端域の厚みが、前記最広幅部の厚みよりも大きくなっている請求項１に記載の口唇化粧料塗布装置。
【請求項３】
前記先端域が、前記塗布面と反対側の面側において突出した突出部を有することで、厚みが大きくなっている請求項２に記載の口唇化粧料塗布装置。
【請求項４】
前記先端域は、前記塗布部の先端から後端へ向けて厚みが漸増して最大厚み部を有し、該最大厚み部から後端へ向けて厚みが漸減している請求項２又は３に記載の口唇化粧料塗布装置。
【請求項５】
前記塗布部の幅方向縦断面視における前記先端域の形状が、角が丸みを帯びた三角形である請求項２又は３に記載の口唇化粧料塗布装置。
【請求項６】
前記塗布用具が前記容器内に挿入された状態において、前記塗布部の塗布面が該容器の底部方向を向くように、該塗布部が該支持軸の軸方向に対して傾斜している請求項１ないし５のいずれか一項に記載の口唇化粧料塗布装置。
【請求項７】
前記容器の口部又はその近傍に、しごき孔を有する可撓性しごき弁が設けられており、前記しごき孔の周縁部から下方に延設して、可撓性環状裾部が前記可撓性しごき弁と一体として設けられている請求項１ないし６のいずれか一項に記載の口唇化粧料塗布装置。
【請求項８】
前記しごき孔の内径を、前記塗布部との接合面における前記支持軸の外径で除した値が０．７〜１．０であり、前記可撓性環状裾部の裾長さを、前記塗布部の長さで除した値が０．０５〜０．５である請求項７に記載の口唇化粧料塗布装置。
【請求項９】
前記塗布部は、前記最広幅部から前記支持軸との連結部に向けて漸次幅が狭くなっており、該連結部においては、該塗布部の幅と該支持軸の幅とが略一致している請求項１ないし８のいずれか一項に記載の口唇化粧料塗布装置。
【請求項１０】
前記最広幅部が、前記塗布部の先端から離れた位置にある請求項１ないし９のいずれか一項に記載の口唇化粧料塗布装置。
【請求項１１】
前記塗布部は、前記塗布面と反対側の面に、該塗布部の長手方向に延びる直線状又は曲線状の溝を１本又は複数本有する請求項１ないし１０のいずれか一項に記載の口唇化粧料塗布装置。
【請求項１２】
前記塗布部は、その表面に植毛処理が施されている請求項１ないし１１のいずれか一項に記載の口唇化粧料塗布装置。